(57)【特許請求の範囲】
【請求項１】
印刷データ名をデータ登録列の所定領域に登録する登録手段と、該データ登録列に登録された印刷データ名を指示する印刷データ名指示手段と、該印刷データ名指示手段により指示された印刷データ名に対応する印刷データの印刷を印刷装置に指令する印刷指令手段とを備えたプリントサーバにおいて、
外部機器から送信される複数の印刷データを連続的に処理するために、該複数の印刷データの個数を示す情報を含む連続印刷要求を前記外部機器から受信する受信手段と、
前記受信手段により受信した連続印刷要求に含まれる印刷データの個数を示す情報に基づいて、連続印刷の為の領域を前記データ登録列に確保できるかを判断する判断手段と、
前記判断手段による判断の結果、連続印刷の為の領域を確保できる場合には、前記受信手段により受信した連続印刷要求に含まれる印刷データの個数を示す情報に基づいて連続印刷のための領域を前記データ登録列に確保する確保手段と、
を有していることを特徴とするプリントサーバ。
【請求項２】
前記連続印刷のための領域を指示する領域指示手段を有していることを特徴とする請求項１記載のプリントサーバ。
【請求項３】
前記領域指示手段は、連続印刷のための領域の開始を指示する第１の指示手段と、前記連続印刷のための領域の終了を指示する第２の指示手段とを備えていることを特徴とする請求項２記載のプリントサーバ。
【請求項４】
前記データ登録列内部の未登録開始領域を指示する未登録開始領域指示手段を有し、前記印刷データ名指示手段は、前記印刷データ名が登録されている前記所定領域を前記未登録開始領域指示手段に到達するまで順次指示することを特徴とする請求項１乃至請求項３のいずれかに記載のプリントサーバ。
【請求項５】
連続印刷終了要求を前記外部機器から受信する連続印刷終了要求受信手段と、
前記連続印刷終了要求受信手段により連続印刷終了要求を受信したときに前記第１の指示手段の指示領域と前記第２の指示手段の指示領域とが一致するか否かを判断する判断手段と、
該判断手段により前記指示領域が一致しないと判断されたときはこれら双方の指示領域間に印刷不実行を示す特定データを登録する特定データ登録手段と、
を有していることを特徴とする請求項３又は請求項４に記載のプリントサーバ。
【請求項６】
複数の印刷データを出力装置に連続的に印刷するために、該複数の印刷データの個数を示す情報を含む連続印刷要求を送信する連続印刷要求送信手段と、
前記出力装置に対して連続印刷の終了を宣言する連続印刷終了宣言手段とを備えていることを特徴とする情報処理装置。
【請求項７】
印刷データを送信する複数の情報処理装置と印刷データをファイルとして格納するファイルサーバと該ファイルサーバに格納された印刷データの出力を制御するプリントサーバとが所定通信網を介して接続され、前記情報処理装置から送信される印刷データが前記ファイルサーバ及び前記プリントサーバを介して出力装置に出力される印刷システムにおいて、
前記情報処理装置が、複数の印刷データを連続的に印刷するために、該複数の印刷データの個数を示す情報を含む連続印刷要求を前記プリントサーバに対して送信する連続印刷要求送信手段と、連続印刷の終了を前記プリントサーバに対して宣言する連続印刷終了宣言手段とを備え、
前記プリントサーバが、前記ファイルサーバに格納されている印刷データの印刷データ名をデータ登録列の所定領域に登録する登録手段と、該データ登録列に登録された印刷データ名を指示する印刷データ名指示手段と、該印刷データ名指示手段により指示された印刷データ名に対応する印刷データの印刷を印刷装置に指令する印刷指令手段と、前記情報処理装置から送信される前記連続印刷要求を受信する受信手段と、前記受信手段により受信した連続印刷要求に含まれる印刷データの個数を示す情報に基づいて、連続印刷の為の領域を前記データ登録列に確保できるかを判断する判断手段と、前記判断手段による判断の結果、連続印刷の為の領域を確保できる場合には、前記受信手段により受信した連続印刷要求に含まれる印刷データの個数を示す情報に基づいて連続印刷のための領域を前記データ登録列に確保する確保手段と、を備えていることを特徴とする印刷システム。
【請求項８】
前記プリントサーバは、前記連続印刷のための領域を指示する領域指示手段を有し、さらに該領域指示手段は、連続印刷のための領域の開始を指示する第１の指示手段と、前記連続印刷のための領域の終了を指示する第２の指示手段とを備えていることを特徴とする請求項７記載の印刷システム。
【請求項９】
前記プリントサーバは、前記データ登録列内部の未登録開始領域を指示する未登録開始領域指示手段を有し、前記印刷データ名指示手段は、前記印刷データ名が登録されている前記所定領域を前記未登録開始領域指示手段に到達するまで順次指示することを特徴とする請求項７又は請求項８に記載の印刷システム。
【請求項１０】
情報処理装置から複数の印刷データをファイルサーバに送信すると共に、前記複数の印刷データを連続的に処理するために、該複数の印刷データの個数を示す情報を含む連続印刷要求をプリントサーバに送信し、次いで前記送信された連続印刷要求に含まれる印刷データの個数を示す情報に基づいて、連続印刷の為の領域をデータ登録列に確保できるかを判断し、連続印刷の為の領域を確保できる場合には、前記送信された連続印刷要求に含まれる印刷データの個数を示す情報に基づいて連続印刷のための領域を前記プリントサーバに設けられたデータ登録列に確保して該連続印刷のための領域に前記複数の印刷データに対応する印刷データ名を順次登録した後、該印刷データ名を順次読み出して該印刷データ名に対応する印刷データを印刷出力することを特徴とする印刷制御方法。
【請求項１１】
前記情報処理装置から連続印刷処理の終了の要求信号を前記プリントサーバに送信し、前記連続印刷のための領域に印刷データ名が登録されているときは該印刷データ名を特定データに書き換え、連続印刷処理を終了することを特徴とする請求項１０記載の印刷制御方法。
【発明の詳細な説明】
【０００１】
【産業上の利用分野】
本発明はプリントサーバと情報処理装置及び印刷システム並びに印刷制御方法に関し、より詳しくはプリンタを共有するために使用されるプリントサーバと、コンピュータ等の情報処理装置、及び所定通信網を介して前記プリントサーバと複数の前記情報処理装置とが接続された印刷システム並びにその印刷制御方法に関する。
【０００２】
【従来の技術】
ＬＡＮ（ローカル・エリア・ネットワーク）等の所定通信網を介してコンピュータから送信されてきた指令に基づき印刷動作を実行する印刷システムとしては、従来より、印字データをファイルとして保存するファイルサーバと、プリンタとキューを制御するプリントサーバ等を備えたものが知られており、この種の印刷システムにおいては、プリントサーバが立ち上がる毎にこれらのコンフィギュレーション（機器構成）を使用してプリント環境がセットアップされる。
【０００３】
また、プリントサーバにおける印字キューとプリンタとの対応付け（マッピング）は、プリントサーバに接続されている各々プリンタに１つのキューを対応付けたり、１台のプリンタに複数のキューを対応付けたり、或いは複数のプリンタに１つのキューを対応づける等各種マップ方式により行われ、一旦対応付けを設定するとその設定に基づいてプリントサーバが立ち上がる毎にこれらの対応付けに従ってシステムが起動するように制御される。
【０００４】
【発明が解決しようとする課題】
しかしながら、上記従来例においては、１台のコンピュータから要求された複数の印字要求が連続して実行される保証がなく、所望の印字結果を得ることができなくなる虞があるという問題点があった。
【０００５】
すなわち、例えばＬＡＮを介してプリントサーバと２台のコンピュータ（第１及び第２のコンピュータ）とが接続されている場合、これらのコンピュータからの印字要求はその要求順にキューイングされるので、第１のコンピュータから２つの印字要求（第１及び第２の印字要求）があるときにこれらの印字要求の間に第２のコンピュータからの印字要求（第３の印字要求）が割り込んだ場合は、第１の印字要求、第３の印字要求、第２の印字要求の順番で印刷されることになる。
【０００６】
しかるに、前記第１のコンピュータの特定コードに特定外字を登録し、第１の印字要求及び第２の印字要求で前記特定外字を使用し印刷しようとした場合に、前記第３の印字要求が割込み且つ前記第２のコンピュータにも前記特定コードと同一コードに前記特定外字以外の他の外字が登録されて第３の印字要求がなされたときは、前記第１の印字要求に対しては前記特定の外字を使用して印刷され、続く第２のコンピュータからの第３の印字要求には該第２のコンピュータに登録された前記他の外字を使用して印字されるが、続く第２の印字要求に対しては前記第２のコンピュータに登録されている前記他の外字が使用されて印刷されることとなり、所望の印字結果が得られなくなるという問題点があった。
【０００７】
本発明は上記問題点に鑑みなされたものであって、連続的に印刷処理したという要求に対して、その連続性をより確実に保証することができるプリントサーバと情報処理装置及び印刷システム並びに印刷制御方法を提供することを目的とする。
【０００８】
【課題を解決するための手段】
上記目的を達成するために本発明に係るプリントサーバは、印刷データ名をデータ登録列の所定領域に登録する登録手段と、該データ登録列に登録された印刷データ名を指示する印刷データ名指示手段と、該印刷データ名指示手段により指示された印刷データ名に対応する印刷データの印刷を印刷装置に指令する印刷指令手段とを備えたプリントサーバにおいて、外部機器から送信される複数の印刷データを連続的に処理するために、該複数の印刷データの個数を示す情報を含む連続印刷要求を前記外部機器から受信する受信手段と、前記受信手段により受信した連続印刷要求に含まれる印刷データの個数を示す情報に基づいて、連続印刷の為の領域を前記データ登録列に確保できるかを判断する判断手段と、
前記判断手段による判断の結果、連続印刷の為の領域を確保できる場合には、前記受信手段により受信した連続印刷要求に含まれる印刷データの個数を示す情報に基づいて連続印刷のための領域を前記データ登録列に確保する確保手段と、を有していることを特徴としている。
【０００９】
また、本発明に係る情報処理装置は、複数の印刷データを出力装置に連続的に印刷するために、該複数の印刷データの個数を示す情報を含む連続印刷要求を送信する連続印刷要求送信手段と、前記出力装置に対して連続印刷の終了を宣言する連続印刷終了宣言手段とを備えていることを特徴としている。
【００１０】
また、本発明に係る印刷システムは、印刷データを送信する複数の情報処理装置と印刷データをファイルとして格納するファイルサーバと該ファイルサーバに格納された印刷データの出力を制御するプリントサーバとが所定通信網を介して接続され、前記情報処理装置から送信される印刷データが前記ファイルサーバ及び前記プリントサーバを介して出力装置に出力される印刷システムにおいて、前記情報処理装置が、複数の印刷データを連続的に印刷するために、該複数の印刷データの個数を示す情報を含む連続印刷要求を前記プリントサーバに対して送信する連続印刷要求送信手段と、連続印刷の終了を前記プリントサーバに対して宣言する連続印刷終了宣言手段とを備え、前記プリントサーバが、前記ファイルサーバに格納されている印刷データの印刷データ名をデータ登録列の所定領域に登録する登録手段と、該データ登録列に登録された印刷データ名を指示する印刷データ名指示手段と、該印刷データ名指示手段により指示された印刷データ名に対応する印刷データの印刷を印刷装置に指令する印刷指令手段と、前記情報処理装置から送信される前記連続印刷要求を受信する受信手段と、前記受信手段により受信した連続印刷要求に含まれる印刷データの個数を示す情報に基づいて、連続印刷の為の領域を前記データ登録列に確保できるかを判断する判断手段と、前記判断手段による判断の結果、連続印刷の為の領域を確保できる場合には、前記受信手段により受信した連続印刷要求に含まれる印刷データの個数を示す情報に基づいて連続印刷のための領域を前記データ登録列に確保する確保手段と、を備えていることを特徴としている。
【００１１】
また、本発明に係る印刷制御方法は、情報処理装置から複数の印刷データをファイルサーバに送信すると共に、前記複数の印刷データを連続的に処理するために、該複数の印刷データの個数を示す情報を含む連続印刷要求をプリントサーバに送信し、次いで前記送信された連続印刷要求に含まれる印刷データの個数を示す情報に基づいて、連続印刷の為の領域をデータ登録列に確保できるかを判断し、連続印刷の為の領域を確保できる場合には、前記送信された前記連続印刷要求に含まれる印刷データの個数を示す情報に基づいて連続印刷のための領域を前記プリントサーバに設けられたデータ登録列に確保して該連続印刷のための領域に前記複数の印刷データに対応する印刷データ名を順次登録した後、該印刷データ名を順次読み出して該印刷データ名に対応する印刷データを印刷出力することを特徴としている。
【００１２】
【実施例】
以下、本発明の実施例を図面に基づいて詳説する。
【００１３】
図１は本発明に係る印刷システムを模式的に示した外観図であって、該印刷システムは、所定通信網としてのＬＡＮ１を介して２台のワークステーション（第１のワークステーション（以下、「ＷＳＡ」という）２及び第２のワークステーション（以下、「ＷＳＢ」という）３）と、所定データ類をファイルとして格納する大容量磁気ディスクを備えたファイルサーバ部と該ファイルサーバ部に記憶されたファイルの出力制御を行うプリントサーバ部とを有するファイルサーバ兼プリントサーバ（以下、ＦＳ／ＰＳ）４とが接続され、さらにプリンタ５が所定ケーブル６を介してＦＳ／ＰＳ４に接続されている。尚、本発明の印刷システムはＬＡＮ１を介して上述した各構成要素が接続されているが、周知のシリアル・インターフェースとしてのＲＳ２３２Ｃやセントロニクス・インターフェースを介して上述した構成要素を直接接続するようにしてもよく、またＦＳ／ＰＳ４で構成しているが、ファイルサーバ部とプリントサーバ部とを別々の装置で構成してもよい。
【００１４】
図２は本印刷システムのブロック構成図であって、ＷＳＡ２及びＷＳＢ３は夫々アプリケーションプログラム及び基本ソフトであるオペレーティング・システム（ＯＳ）が格納されており、ＷＳＡ２からはＷＳＡ用印字データ（ＷＳＡ−１、ＷＳＡ−２、……）７がＬＡＮ１を介してＦＳ／ＰＳ４に出力され、ＷＳＢ３からはＷＳＢ用印字データ（ＷＳＢ−１、ＷＳＢ−２、……）８がＬＡＮ１を介してＦＳ／ＰＳ４に出力される。
【００１５】
ＦＳ／ＰＳ４は、上述したようにファイルサーバ部とプリントサーバ部とを有し、そのファイルサーバ部にはＷＳＡ用印字データ７及びＷＳＢ用印字データ８が格納されると共に、プリントサーバ部は、データ管理情報列としての印字キュー９（登録手段）と、ポインタ部１０（印刷データ名指示手段）とを有し、印字キュー９は、印字データのファイル名が書き込まれる複数の印字ファイル名書込領域（第１の印字ファイル名書込領域９ａ、第２の印字ファイル名書込領域９ｂ、第３の印字ファイル名書込領域９ｃ、……）からなる。また、ポインタ部１０は、第１のポインタ１０ａ、第２のポインタ１０ｂ、第３のポインタ１０ｃ、第４のポインタ１０ｄ等の集合体で構成され、第１のポインタ１０ａは印字キュー９の印字開始領域を指示し、第２のポインタ１０ｂは印字キュー９内の空領域開始領域を指示する。さらに、第３及び第４のポインタ１０ｃ、１０ｄは、例えばＷＳＡ２の連続実行のためのアドレス確保に使用されるポインタであって、第３のポインタ１０ｃは連続印字開始領域を指示し、第４のポインタ１０ｄは連続印字終了領域を示す。
【００１６】
次に、連続実行をしない通常の印刷要求順に印刷処理を行う場合について説明する。
【００１７】
まず、ＷＳＡ２及びＷＳＢ３から送られてきた印字データ７、８をファイルサーバ部に格納した後、その受信順序にしたがって印字キュー９の印字ファイル名書込領域（印字ファイル名格納アドレス）に順次、例えば、矢印ａ、ｂ、ｃに示すように、印字データＷＳＡ−１を第１の印字ファイル名書込領域９ａに、印字データＷＳＢ−１を第２の印字ファイル名書込領域９ｂに、印字データＷＳＡ−２を第３の印字ファイル名書込領域９ｃに夫々順次書き込む。
【００１８】
次に、第１のポインタ１０ａが、矢印ｄに示すように、第１の印字ファイル名書込領域９ａを指示すると第１の印字ファイル名書込領域９ａに書き込まれたファイル名の印字データＷＳＡ−１がプリンタ５に送出され、次いで前記第１のポインタ１０ａは第２の印字ファイル名書込領域９ｂを指示し、該第２の印字ファイル名書込領域９ｂに書き込まれたファイル名の印字データＷＳＢ−１がプリンタ５に送出される。以下、同様にして第２のポインタ１０ｂにより指示されている空領域開始領域（矢印ｅで示す）直前の印字ファイル名書込領域まで順次第１のポインタ１０ａにより指示位置が更新されプリンタ５への印字データの送出を行う。
【００１９】
また、ＦＳ／ＰＳ４は、ＷＳＡ２及びＷＳＢ３からの新たな印字データを受信するとファイルサーバ部に該印字データを格納すると共に印字キュー９の印字ファイル名書込領域に印字データ名を順次書き込むと共に、第２のポインタ１０ｃの指示位置を空領域となる位置に更新させる。
【００２０】
これにより、連続実行指令を発しない通常処理時においては、第２のポインタ１０ｂで指示される空領域の直前に至るまで、印字データのファイル名が書き込まれている領域を第１のポインタ１０ａで順次更新しながら指示することにより、印字キュー９上のファイル名に相当する印字データが順次プリンタ５に送出され、印刷が行われる。
【００２１】
次に、ＷＳＡ２についての連続印字を含む印刷手順について説明する。
【００２２】
図３はＷＳＡ２がＦＳ／ＰＳ４に対して連続印字指令を発する場合の指令手順を示すフローチャートである。
【００２３】
まず、ステップＳ１では“ＪＯＢＳＴＡＲＴ  ｎ”と入力し、連続印字したい連続印字要求個数ｎを入力する。続くステップＳ２では印字要求のあるアプリケーションプログラムを実行し、印字が終了するとステップＳ３に進んで“ＪＯＢＥＮＤ”を入力し、連続実行状態の終了を宣言する。
【００２４】
次に、ＦＳ／ＰＳ４で実行される連続処理時の手順を説明する。
【００２５】
図４は連続印字実行のための初期化手順を示すフローチャートである。
【００２６】
すなわち、ステップＳ１１ではＷＳＡ２から連続印字要求個数ｎを受信すると、続くステップＳ１２では印字キュー９上でｎ個分の印字ファイル名書込領域を確保することができるか否かを第１のポインタ１０ａ及び第２のポインタ１０ｂの指示可能位置に基づいて判断する。そして、印字キュー９上でｎ個分の印字ファイル名書込領域を確保することができないときは、ステップＳ１３に進みエラー処理をして終了する。すなわち、この場合は領域確保ができなかった旨、ＷＳＡ２に返答し、これに対してＷＳＡ２ではステップＳ１（図３）の“ＪＯＢＳＴＡＲＴ  ｎ”がエラー終了する。
【００２７】
一方、図５に示すように、印字キュー９上でｎ個分の連続領域が確保されたときはステップＳ１４に進み、本来ならば空領域開始領域となって第２のポインタ１０ｂにより矢印ｆの如く指示される箇所を第３のポインタ１０ｃに指示させてＷＳＡ２用の連続印字開始領域を確保する（矢印ｇで示す）。次いで、ステップＳ１５では連続印字要求個数ｎだけ第２のポインタ１０ｂの指示位置を更新させ（矢印ｈで示す）、続くステップＳ１６では上述の如くｎ個分更新して指示されている第２のポインタ１０ｂの指示位置より１個少ない位置、すなわち（ｎ−１）の位置を第４のポインタ１０ｄで指示させる（矢印ｉで示す）。このように第３及び第４のポインタ１０ｃ、１０ｄを使用することにより、ＷＳＡ２の連続印刷実行可能な領域が印字キュー９上で確保される。
【００２８】
次に、印字受付処理について、図６及び上記図５に基づき詳説する。
【００２９】
ステップＳ２１ではＷＳＡ２から連続印字宣言が首尾よくなされているか否かを判断する。すなわち、第３のポインタ１０ｃ及び第４のポインタ１０ｄにより連続印字するための印字ファイル名書込領域が印字キュー９上で確保されているか否かを判断し、連続印字が可能か否かを判断する。
【００３０】
そして、その答が肯定（Ｙｅｓ）のときは、ステップＳ２２に進み、第３のポインタ１０ｃの指示位置と第４のポインタ１０ｄの指示位置とが一致するか否か、すなわち既にｎ個分の連続印字要求を受けているか否かを判断する。そしてその答が肯定（Ｙｅｓ）のときはこれ以上の連続印字すべき印字データの印字ファイル名書込領域を確保することができないため、ステップＳ２３に進んでエラー処理を行う。本実施例では、この場合ＦＳ／ＰＳ４はＷＳＡ２にエラーを返答し、連続印字要求を無視して終了するが、連続印字要求を自動的に解除するようにしてもよい。
【００３１】
一方、ステップＳ２２の答が否定（Ｎｏ）のときは、ステップＳ２４に進み、第３のポインタ１０ｃが示している印字キュー９上の位置に例えば印字データＷＳＡ−１のファイル名を登録し、この後第３のポインタ１０ｃは矢印ｊに示すように指示位置を更新させる。
【００３２】
また、ステップＳ２１の答が否定（Ｎｏ）、すなわちＷＳＡ２からの連続印字宣言がなかったときは、ステップＳ２５に進み、第１のポインタ１０ａの指示位置と第２のポインタ１０ｂの指示位置とが一致するか否か、すなわち印字キュー９上の印字ファイル格納領域の全てが満ちているか否かを判断する。そしてその答が肯定（Ｙｅｓ）のときはこれ以上の印字ファイル名を格納することができないため、ステップＳ２３に進んで上述と同様のエラー処理を行う。
【００３３】
一方、ステップＳ２５の答が否定（Ｎｏ）のときは、ステップＳ２６に進み、現在第２のポインタ１０ｂが示している印字キュー９上の位置に新たな印字データのファイル名を登録し、前記第２のポインタ１０ｂの指示位置を更新する。
【００３４】
これにより、矢印ｋに示すように、第１のポインタ１０ａが指示したファイル名の印字データをプリンタ５に順次送出することにより連続印字することができる。すなわち、第１のポインタ１０ａの指示位置と第２のポインタ１０ｂの間に連続印字開始領域を指示する第３のポインタ１０ｃ及び連続印字終了領域を指示する第４のポインタ１０ｄが挟まれた形となり、第１のボインタ１０ａの指示位置を順次更新することにより、ＷＳＡからの送信されてきた印字データの連続印字が可能となる。
【００３５】
次に連続印字の宣言を終了するときの手順について図７及び図８を参照しながら説明する。
【００３６】
ステップＳ３１では連続実行処理の解除指令を受信したか否かを判断する。そして、その答が肯定（Ｙｅｓ）、すなわち、ＷＳＡ２の“ＪＯＢＥＮＤ”の入力によりＦＳ／ＰＳ４が連続実行処理の解除宣言を受信したときは、第３のポインタ１０ｃの指示位置と第４のポインタ１０ｄの指示位置とが一致するか否かを判断する（ステップＳ３２）。そして、その答が肯定（Ｙｅｓ）のときは連続印字の終了がなされているときであり、そのまま処理を終了する一方、その答が否定（Ｎｏ）のときは現在第３のポインタ１０ｃが指示している指示位置（矢印ｌで示）に、特定データ、例えば“００……０”を書き込み（ステップＳ３３）、第３のポインタ１０ｃの指示位置を更新して（ステップＳ３４）ステップＳ３２に戻る。すなわち、矢印ｌで示す第３のポインタ１０ｃの指示位置と矢印ｍが示す第４のポインタ１０ｄの指示位置が一致する領域まで前記特定データを書き込み、第３のポインタ１０ｃと第４のポインタ１０ｄが一致してステップＳ３２の答が肯定（Ｙｅｓ）となったところで処理を終了する。これにより、連続実行処理が解除されたときは前記特定データを読み飛ばすことにより通常の処理に復帰することができる。
【００３７】
【発明の効果】
以上詳述したように、請求項１記載のプリントサーバ、請求項７記載の印刷システム、及び請求項記載１０の印刷制御方法によれば、連続印刷要求に含まれる印刷データの個数を示す情報に基づいて、連続印刷の為の領域をデータ登録列に確保できるかを判断し、連続印刷の為の領域を確保できる場合には、連続印刷要求に含まれる印刷データの個数を示す情報に基づいて連続印刷の為の領域をデータ登録列に確保するので、複数の情報処理装置の内、１台の情報処理装置から連続した印刷要求がなされた場合は確実に連続して印刷処理を行うことができ、もって、連続的に印刷処理したという要求に対して、その連続性をより確実に保証することができる。
請求項６記載の情報処理装置によれば、複数の印刷データの個数を示す情報を含む連続印刷要求を送信するので、連続した印刷要求を行う場合は、出力装置に確実に連続して印刷処理を行わせることができ、もって、連続的に印刷処理したという要求に対して、その連続性をより確実に保証することができる。
【図面の簡単な説明】
【図１】本発明に係る印刷システムの一実施例を示す外観図である。
【図２】前記印刷システムの詳細を示すブロック構成図である。
【図３】ワークステーションで実行される処理手順のフローチャートである。
【図４】ＦＳ／ＰＳで実行される連続印字のための初期化手順のフローチャートである。
【図５】ＦＳ／ＰＳで実行される印刷実行手順を説明するための図である。
【図６】ＦＳ／ＰＳで実行される印字登録手順のフローチャートである。
【図７】ＦＳ／ＰＳで実行される連続印字終了のフローチャートである。
【図８】ＦＳ／ＰＳで実行される連続印字手順を説明するための図である。
【符号の説明】
１      ＬＡＮ（所定通信網）
２      ＷＳＡ（情報処理装置）
３      ＷＳＢ（情報処理装置）
４      ＦＳ／ＰＳ（ファイルサーバ、プリントサーバ）
５      プリンタ（印刷装置）
９      印字キュー（データ登録列、登録手段）
１０ａ  第１のポインタ（印刷データ名指示手段）
１０ｂ  第２のポインタ（未登録開始領域指示手段）
１０ｃ  第３のポインタ（領域指示手段、第１の指示手段）
１０ｄ  第４のポインタ（領域指示手段、第２の指示手段）
【図１】
0003679458.tif 000002
【図２】
0003679458.tif 000003
【図３】
0003679458.tif 000004
【図４】
0003679458.tif 000005
【図５】
0003679458.tif 000006
【図６】
0003679458.tif 000007
【図７】
0003679458.tif 000008
【図８】
0003679458.tif 000009